(57)【特許請求の範囲】
【請求項１】
画像形成装置本体に開閉自在に取り付けられた開閉装置を有し、
前記開閉装置は、
前記画像形成装置本体に回転自在な第１軸部で取り付けられた外装部材と、
前記外装部材の内側であって、前記画像形成装置本体に回転自在な第２軸部で取り付けられ、且つ、前記外装部材と移動自在に取り付けられた基台部材と、
前記基台部材に出し入れ自在に取り付けられた延長部材と、を有し、
前記外装部材の前記第１軸部と反対側の先端部分には、前記延長部材側に突出した引っ掛け部が形成され、
前記延長部材の前記外装部材の前記先端部分側の先端側には、前記外装部材側に突出した引っ掛かり部が形成され、
前記開閉装置が開かれる場合、前記外装部材の前記引っ掛け部に前記延長部材の前記引っ掛かり部が引っ掛けられて、前記延長部材が移動される
画像形成装置。
【請求項２】
前記外装部材の前記第１軸部側には、前記延長部材側に突出した支持部が形成され、
前記延長部材の前記先端側とは反対側には、前記外装部材側に突出した支持突起が形成され、
前記開閉装置が開かれる場合、前記外装部材の前記支持部に前記延長部材の前記支持突起が支持されて、前記延長部材が移動される請求項１に記載の画像形成装置。
【請求項３】
画像形成装置本体に開閉自在に取り付けられた開閉装置を有し、
前記開閉装置は、
前記画像形成装置本体に回転自在な第１軸部で取り付けられた外装部材と、
前記外装部材の内側であって、前記画像形成装置本体に回転自在な第２軸部で取り付けられ、且つ、前記外装部材と移動自在に取り付けられた基台部材と、
前記基台部材に出し入れ自在に取り付けられた延長部材と、を有し、
前記外装部材の前記第１軸部側には、前記延長部材側に突出した支持部が形成され、
前記延長部材の先端部とは反対側の奥側には、前記外装部材側に突出した支持突起が形成され、
前記開閉装置が開かれる場合、前記外装部材の前記支持部に前記延長部材の前記支持突起が支持されて、前記延長部材が移動される画像形成装置。
【請求項４】
前記延長部材は、前記基台部材の内側に配置されており、
前記延長部材は、前記基台部材に沿って直線状に出し入れされる請求項１から３いずれかに記載の画像形成装置。
【請求項５】
前記延長部材には、引き出される側に操作部が形成された請求項１から４いずれかに記載の画像形成装置。
【請求項６】
前記外装部材には、前記延長部材を掴むことが可能であるように切り欠く部が形成されている請求項１から５いずれか記載の画像形成装置。
【発明の詳細な説明】
【技術分野】
【０００１】
本発明は、画像形成装置に関する。
【背景技術】
【０００２】
記録媒体を供給する開閉装置を備えた画像形成装置に関する発明として、例えば、下記特許文献１に、シートに画像を形成する画像形成部を内蔵し、該画像形成部に対して外部からのアクセスを可能にする開口を有する筐体と、前記筐体の一側部に回動可能に支持され、前記開口を遮蔽するアクセスカバーと、前記一側部に回動可能に支持され、前記画像形成部で画像が形成される前のシートを載置する供給シートトレイと、前記アクセスカバーに回動可能に支持され、前記画像形成部で画像が形成された後のシートを載置する排出シートトレイと、を有し、前記供給シートトレイの回転支点と前記アクセスカバーの回転支点は同軸上に配置され、且つ、前記排出シートトレイの回転支点は前記アクセスカバーの回転支点に対してシフトして配置されていることを特徴とする画像形成装置が開示されている。
【０００３】
また、下記特許文献２には、画像形成装置の装置本体に対して収納可能に装着したシート積載台を有するシート積載装置において、装置本体に回転支点を有する開閉可能な外装部材と、該外装部材の回転支点上方に回転支点を有するとともに先端側を前記外装部材に連結されたシート積載台と、前記外装部材とシート積載台とのうちの少なくとも一方に出入り自在に収容された延長シート積載台とを備え、該延長シート積載台の収容位置が前記シート積載台のシート積載面よりも下方に設定されるとともに、該延長シート積載台と前記シート積載台とが前記外装部材の閉鎖動作に連動して前記装置本体に収納されてなる、ことを特徴とするシート積載装置の発明が開示されている。
【先行技術文献】
【特許文献】
【０００４】
【特許文献１】特開２０１３−０３９７９７号公報
【特許文献２】特開平０５−００４７２７号公報
【発明の概要】
【発明が解決しようとする課題】
【０００５】
給紙を行う開閉装置において記録媒体が置かれる基台部材と、この基台部材を覆う外装部材とを有する場合、開閉操作を円滑に行えるように異なる支点を有する２軸構成とされ、外装部材側に延長部材が設けられている。このとき、延長部材を引き出す際に、基台部材と延長部材との段差をなくすため、延長部材を引き出す軌道を曲線状にする必要がある。しかし、曲線状の軌道にすると、延長部材を引き出す際に、かじりが発生して延長部材が円滑に移動させることができないという課題がある。
【０００６】
本発明は、延長部材を外装部材に設けた場合に比べ、延長部材を円滑に移動させることができる開閉装置及び画像形成装置を提供することを目的とする。
【課題を解決するための手段】
【０００７】
請求項１に係る本発明は、画像形成装置本体に開閉自在に取り付けられた開閉装置を有し、前記開閉装置は、前記画像形成装置本体に回転自在な第１軸部で取り付けられた外装部材と、前記外装部材の内側であって、前記画像形成装置本体に回転自在な第２軸部で取り付けられ、且つ、前記外装部材と移動自在に取り付けられた基台部材と、前記基台部材に出し入れ自在に取り付けられた延長部材と、を有する画像形成装置である。
【０００８】
請求項２に係る本発明は、前記延長部材は、前記基台部材の内側に配置されており、前記延長部材は、前記基台部材に沿って直線状に出し入れされる請求項１に記載の画像形成装置である。
【０００９】
請求項３に係る本発明は、前記延長部材には、引き出される側に操作部が形成された請求項１又は２に記載の画像形成装置である。
【００１０】
請求項４に係る本発明は、前記外装部材の前記第１軸部と反対側の先端部分には、前記延長部材側に突出した引っ掛け部が形成され、前記延長部材の前記外装部材の前記先端部分側の先端側には、前記外装部材側に突出した引っ掛かり部が形成され、前記開閉部材が開閉される場合、前記外装部材の前記引っ掛け部に前記延長部材の前記引っ掛かり部が引っ掛けられて、前記延長部材が移動される請求項１又は２に記載の画像形成装置である。
【００１１】
請求項５に係る本発明は、前記外装部材の前記第１軸部側には、前記延長部材側に突出した支持部が形成され、前記延長部材の前記先端側とは反対側には、前記外装部材側に突出した支持突起が形成され、前記開閉部材が開閉される場合、前記外装部材の前記支持部に前記延長部材の前記支持突起が支持されて、前記延長部材が移動される請求項１、２、４のいずれかに記載の画像形成装置である。
【発明の効果】
【００１２】
請求項１に係る本発明によれば、延長部材を外装部材に設けた場合に比べ、円滑に移動させることができる。
【００１３】
請求項２に係る本発明によれば、請求項１に係る本発明の効果に加えて、延長部材が曲線状に出し入れされる場合に比べて、より円滑に移動させることができる。
【００１４】
請求項３に係る本発明によれば、請求項１又は２に係る本発明の効果に加えて、操作部が形成されていない場合に比べて、引き出しやすくなる。
【００１５】
請求項４に係る本発明によれば、請求項１乃至４のいずれかに係る本発明の効果に加えて、延長部材を操作するための空間が形成され、引き出しやすくなる。
【００１６】
請求項５に係る本発明によれば、請求項１、２、４のいずれかに係る本発明の効果に加えて、延長部材を操作するための空間が形成され、引き出しやすくなる。
【図面の簡単な説明】
【００１７】
【図１】実施形態１〜４の画像形成装置を示す側面断面図である。
【図２】図２Ａは手差しユニットが開いた状態を示す模式側面断面図であり、図２Ｂは手差しユニットが閉じた状態を示す模式側面断面図である。
【図３】実施形態１の手差しユニットを示した斜視図である。
【図４】図３のIV−IV線での外装部材を除いた状態の断面斜視図である。
【図５】実施形態１の延長部材の操作穴を示した斜視図である。
【図６】実施形態１の変形例の延長部材の操作突起を示した斜視図である。
【図７】実施形態２の手差しユニットの図４に対応した斜視図である。
【図８】実施形態２の手差しユニットの閉じた状態を示した側面断面図である。
【図９】実施形態２の手差しユニットの開いた状態を示した側面断面図である。
【図１０】実施形態２の延長部材の先端側を拡大した斜視図である。
【図１１】実施形態３の手差しユニットの閉じた状態を示した側面断面図である。
【図１２】実施形態３の手差しユニットの開いた状態を示した側面断面図である。
【図１３】実施形態４の手差しユニットの開いた状態を示した側面断面図である。
【発明を実施するための形態】
【００１８】
以下、図面を参照して本発明の実施形態を説明する。ただし、以下に示す実施形態は、本発明の技術思想を具体化するための開閉装置及び画像形成装置を例示するものであって、本発明をこれに特定することを意図するものではなく、特許請求の範囲に含まれるその他の実施形態のものにも等しく適応し得るものである。
【００１９】
［実施形態１］
図１〜図５を参照して、実施形態１にかかる開閉装置としての手差しユニット８０を備えた画像形成装置１０について説明する。実施形態１の画像形成装置１０は、図１に示すように、画像形成装置本体１２を有し、この画像形成装置本体１２の内部に、被転写材としての記録紙等の記録媒体７８を供給する記録媒体供給装置１８と、記録媒体７８に転写する画像を形成する画像形成手段１４と、定着装置３６とが搭載され、画像形成装置本体１２の上部に記録媒体７８が排出される排出部１６を有し、これらを通過するように記録媒体７８を搬送する搬送路５６が設けられている。以下、各構成について説明する。
【００２０】
また、画像形成装置本体１２の側面（図１および図２の左側面）には、開閉装置としての手差しユニット８０が配設されている。この手差しユニットは、図２Ａに示すように、開いた状態において手差しユニット８０に供給される記録媒体７８が配置され、図２Ｂに示すように閉じた状態において画像形成装置本体１２の側面に収納されるようになっており、画像形成装置本体１２に２つの軸９０、１０８によって開閉自在に支持されている。なお、手差しユニット８０については後述する。
【００２１】
記録媒体供給装置１８は、記録媒体７８を積層した状態で収納する記録媒体収納容器５０と、この記録媒体収納容器５０に収納された最上位の記録媒体７８を抽出し、抽出した記録媒体７８を画像形成手段１４に向けて搬送する搬送ロール５２と、記録媒体７８を捌き、画像形成手段１４に複数枚の記録媒体７８が重なった状態で搬送されることを防止するリタードロール５４とが設けられている。
【００２２】
画像形成手段１４は、例えば、イエロー（Ｙ）、マゼンタ（Ｍ）、シアン（Ｃ）、黒（Ｋ）の４色に対応する画像形成ユニット２０と、光書込み装置２２と、転写装置２４とにより構成されている。なお、画像形成ユニット２０及びこれらの構成要素は、形成する画像の色以外は同様の構成とされている。
【００２３】
画像形成ユニット２０は、それぞれ交換部材として用いられ、画像形成装置本体１２に対して着脱自在に設けられており、画像形成装置本体１２の後側（図１における右側）から順に、Ｙ、Ｍ、Ｃ、Ｋの順に並べられている。
【００２４】
画像形成ユニット２０は、例えばカラー画像を形成する電子写真方式のものである。画像形成ユニット２０はそれぞれ、画像形成ユニット本体２６を備え、画像形成ユニット本体２６内には、現像剤像を保持するドラム形状の像保持体２８と、この像保持体２８を一様に帯電する帯電ロールを備えた帯電手段としての帯電装置３０と、像保持体２８に書き込まれた潜像を現像剤（トナー）で現像する現像装置３２と、像保持体２８に残留する廃現像剤を例えば掻き取って清掃する清掃装置３４とが設けられている。
【００２５】
現像装置３２は、それぞれが収納するＹ、Ｍ、Ｃ、Ｋの現像剤を用いて、対応する像保持体２８に形成された潜像を現像する。
【００２６】
また、光書込み装置２２は潜像形成装置として用いられ、例えば走査型のレーザ露光装置からなり、像保持体２８のそれぞれの表面に潜像を形成する。なお、光書込み装置２２は、他の実施例としてＬＥＤや面発光レーザ等を用いることができる。
【００２７】
転写装置２４は、転写体として用いられる被転写部材３８と、一次転写装置として用いられる一次転写ロール４０と、二次転写装置として用いられる二次転写ロール４２と、清掃装置４４と、で構成されている。
【００２８】
被転写部材３８は、例えば無端状のベルト形状であり、５つの支持ロール４６ａ、４６ｂ、４６ｃ、４６ｄ、４６ｅによって、図１に矢印で示す方向に回転することができるように支持されている。また、支持ロール４６ａ、４６ｂ、４６ｃ、４６ｄ、４６ｅのうち少なくとも一つはモータ等の動力源（図示省略）に連結されており、この動力源からの駆動伝達を受けて回転することで、被転写部材３８が回転駆動するようになっている。
【００２９】
支持ロール４６ａは、二次転写ロール４２と対向するように配置され、この二次転写ロール４２のバックアップロールとして機能し、二次転写ロール４２と支持ロール４６ａとで挟まれる部分が二次転写位置となっている。
【００３０】
一次転写ロール４０は、それぞれに対応する現像装置３２により像保持体２８の表面に形成された現像剤像を、被転写部材３８に転写する。
【００３１】
また、二次転写ロール４２は、被転写部材３８に転写されたＹ、Ｍ、Ｃ、Ｋの現像剤像を、記録媒体７８に対して転写する。
【００３２】
清掃装置４４は、二次転写ロール４２で記録媒体７８に対して各色の現像剤像が転写された後に、被転写部材３８の表面に残留する各色の現像剤を掻き落とす掻き落とし部材４８を有する。そして、掻き落とし部材４８によって掻き落とされた現像剤は、清掃装置４４の本体内に回収される。
【００３３】
搬送路５６は、主搬送路５６ａと、反転搬送路５６ｂとにより構成されている。
【００３４】
主搬送路５６ａは、記録媒体供給装置１８から供給された記録媒体７８を画像形成手段１４に搬送し、画像が形成された記録媒体７８を排出部１６に排出する。この主搬送路５６ａには記録媒体７８の搬送方向上流側から順に、搬送ロール５２、リタードロール５４、レジストロール５８、転写装置２４、定着装置３６、及び排出ロール６０が配置されている。
【００３５】
レジストロール５８は、記録媒体供給装置１８側から搬送されてきた記録媒体７８の先端部を一時的に停止させ、画像形成されるタイミングと合致するように記録媒体７８を転写装置２４に向けて送り出す。
【００３６】
定着装置３６は、加熱部としての加熱ロール６６及び加圧部７６を有し、これら加熱ロール６６と加圧部７６との間を通過する記録媒体７８を加熱し、加圧することで、記録媒体７８に現像剤像が定着される。
【００３７】
排出ロール６０は、定着装置３６により現像剤が定着された記録媒体７８を、排出部１６に排出される。
【００３８】
また、反転搬送路５６ｂは、一方の面に現像剤像が形成された記録媒体７８を反転させつつ、再び画像形成手段１４に向けて供給する搬送路であり、反転搬送路５６ｂには、例えば二つの反転搬送ロール６２ａ、６２ｂが配置されている。
【００３９】
記録媒体７８が主搬送路５６ａから排出ロール６０に搬送され、この記録媒体７８の後端部が排出ロール６０に挟みこまれた状態でこの排出ロール６０が逆回転することで、記録媒体７８が反転搬送路５６ｂに供給される。反転搬送路５６ｂに供給された記録媒体７８は、反転搬送ロール６２ａ、６２ｂによって、レジストロール５８の上流の位置へと搬送される。
【００４０】
また、手差しユニット８０に配置された記録媒体７８は、手差しピックロール８２より送り出され、上述した記録媒体供給装置１８より送り出された記録媒体７８と同様に、レジストロール５８、転写装置２４及び定着装置３６を通って排出部１６へ排出される。
【００４１】
次に、手差しユニット８０について説明する。実施形態１の手差しユニット８０は、図２及び図３に示すように、画像形成装置本体１２の側面側に設けられる外装部材８４と、記録媒体７８が配置される基台部材１０４と、基台部材１０４の内部に挿抜自在に設けられた延長部材１２０とを有している。
【００４２】
また、外装部材８４と基台部材１０４は、画像形成装置本体１２にそれぞれ異なる軸で取り付けられており、回転する支点が異なる２軸構成となっている。そして、外装部材８４と基台部材１０４は、外装部材８４が操作されると、この外装部材８４と共に基台部材１０４が移動され、開閉自在となっている。なお、基台部材１０４に配置された記録媒体７８は画像形成装置本体１２内の手差しピックロール８２の回転により引っ掛けられ、搬送される。
【００４３】
また、実施形態１の手差しユニット８０の基台部材１０４には延長部材１２０が設けられている。この延長部材１２０は、基台部材１０４の内部に配置され、記録媒体７８が移動される方向に引き出したり、収容したりすることが可能なように設けられている。そして、延長部材１２０が引き出されて設置されることで、基台部材１０４に比べて長尺な記録媒体７８が配置できるようになる。
【００４４】
外装部材８４は、画像形成装置本体１２の側面を覆う所定面積の箱状体で形成されている。外装部材８４の画像形成装置本体１２側に設けられる部分には、基台部材１０４が取り付けられる収容空間８６を有している。また、収容空間８６の両端側は、立設された一方の壁部８８ａ及び他方の壁部８８ｂがそれぞれ形成されており、収容空間８６の区分けがされている。この一方及び他方の壁部８８ａ、８８ｂには、それぞれ、画像形成装置本体１２に回転自在に取り付けられる第１軸部９０が形成されている。
【００４５】
また、一方及び他方の壁部８８ａ、８８ｂには、収容空間８６に配置された基台部材１０４が外装部材８４に取り付けられた状態で移動される移動溝９２が形成されている。この移動溝９２は、手差しユニット８０の開閉の際に、外装部材８４と基台部材１０４が異なる軸で回転しても、互に取り付けられた状態で移動できるように、一部が傾斜して形成されている。
【００４６】
また、外装部材８４の延長部材１２０が引き抜かれる側には、一部が切り欠かれた切り欠き部９４が形成されている（図５参照）。
【００４７】
また、基台部材１０４は、外装部材８４の収容空間８６に収容可能な大きさの板状体で形成されている。基台部材１０４の画像形成装置本体１２側に設けられる面は、記録媒体７８が配置される記録媒体配置部１１０となっている。この記録媒体配置部１１０には、使用される記録媒体７８の大きさに合わせて移動可能な調整部１１２が設けられている。この調整部１１２は、移動されることで配置された記録媒体７８を整えるものである。
【００４８】
また、基台部材１０４の一方の側面１０６ａ及び他方の側面１０６ｂには、それぞれ、画像形成装置本体１２に回転自在に取り付けられる第２軸部１０８が形成されている。さらに外装部材８４に形成された移動溝９２に移動可能に取り付けられる移動突起１１４がそれぞれ形成されている。そして、手差しユニット８０が開閉される場合に、外装部材８４の移動溝９２を基台部材１０４の移動突起１１４が移動することで、円滑な開閉が行える。
【００４９】
また、基台部材１０４の内側には、延長部材１２０が取り付けられる延長部材配置部１１８を有している。この延長部材配置部１１８は、記録媒体配置部１１０の裏側と、基台部材１０４の両側面１０６ａ、１０６ｂとで囲まれて形成されている。また、基台部材１０４の両側面１０６、１０６ｂには、延長部材１２０が案内されて移動される案内溝１１６がそれぞれ形成されている。この案内溝１１６は、延長部材１２０が移動される方向にそって直線状に形成されている。なお、この案内溝１１６には、後述する延長部材１２０に形成された案内部１２４が嵌め込まれるようになる。
【００５０】
また、延長部材１２０は、基台部材１０４の延長部材配置部１１８に移動可能に収容される大きさの板状体で形成されている。この延長部材１２０は、画像形成装置本体１２側に記録媒体７８が配置される延長記録媒体配置部１２８を有している。そして、この延長記録媒体配置部１２８と基台部材１０４の記録媒体配置部１１０が平面状となることで、長尺な記録媒体を配置することができるようになる。
【００５１】
延長部材１２０は、一方の側壁部１２２ａ及び他方の側壁部１２２ｂに基台部材１０４の案内溝１１６に移動自在に取り付けられる案内部１２４が案内溝１１６に沿って形成されている。実施形態１の案内部１２４は、突出した案内突起１２６が、移動方向の前後方向に形成されている。このような構成とすることで、延長部材１２０が回転せずに直線状に移動するようになる。
【００５２】
また、延長部材１２０の延長記録媒体配置部１２８側には、外装部材８４の切り欠き部９４と対応する部分に、使用者の指を引っ掛けるために開口された操作部としての操作穴１３０が形成されている。
【００５３】
実施形態１の手差しユニット８０の操作は、外装部材８４を画像形成装置本体１２から離れる方向に引くことで、外装部材８４の第１軸部９０及び基台部材１０４の第２軸部１０８をそれぞれ支点にして回転して開き、基台部材１０４の記録媒体配置部１１０に記録媒体７８を配置できるようになる。このとき、外装部材８４と基台部材１０４は、基台部材１０４に形成された移動溝９２を基台部材１０４の移動突起１１４が移動することで、外装部材８４と基台部材１０４が取り付けられたまま、開くことができる。
【００５４】
その後、基台部材１０４から延長部材１２０を引き抜くことで、延長部材１２０が引き出され、基台部材１０４の記録媒体配置部１１０と延長部材１２０の延長記録媒体配置部１２８が平面状に配置されるようになる。このとき、外装部材８４に形成された切り欠き部９４と対応する部分に形成された操作穴１３０に使用者が指を引っ掛けることで、容易に延長部材１２０を引き抜くことができるようになる。詳しくは、手差しユニット８０が開かれた状態では、外装部材８４と基台部材１０４が異なる支点で回転されるため、外装部材８４と基台部材１０４のそれぞれの先端部分が異なる位置、すなわち、外装部材８４に比べて基台部材１０４が低い位置に配置されるようになるため、操作穴がない場合は、引き抜き難くなるが、実施形態１では操作穴１３０が形成されることで、延長部材１２０を容易に引き抜くことができるようになる。
【００５５】
また、延長部材１２０が基台部材１０４に配置されることで、直線状の運動が可能となり、屈曲して移動する場合に比べ、円滑に引き抜くことができるようになる。
【００５６】
［変形例］
実施形態１では、延長部材１２０の延長記録媒体配置部１２８に操作穴１３０が形成されているが、これに限らず、図６に示すように、延長部材１２０’に操作部としての突起状の操作突起１３２を形成してもよい。このように操作突起１３２を形成しても、使用者が延長部材１２０’を引き出すために指を引っ掛けることができ、引き出し操作を容易に行うことができるようになる。
【００５７】
［実施形態２］
実施形態１の画像形成装置１０の手差しユニット８０は、外装部材８４が開かれると、延長部材１２０は外装部材８４の先端側９６に比べ低い位置に配置されるようになっていたが、実施形態２の画像形成装置１０Ａの手差しユニット８０Ａでは、延長部材１２０Ａが外装部材８４の先端側９６に引っ掛かる構造とした場合を説明する。なお、実施形態２の手差しユニット８０Ａは、実施形態１の手差しユニット８０に比べ、外装部材及び延長部材の一部の構成が異なるのみであるので、実施形態１と共通する構成には同一の符号を付し、詳細な説明は省略する。
【００５８】
実施形態２の画像形成装置１０Ａに係る手差しユニット８０Ａについて、図７〜１０を主に参照し、実施形態１の説明で用いた図面も適宜参照して説明する。実施形態２の外装部材８４Ａは、図８、図９に示すように、第１軸部９０とは反対側の先端側９６であって、基台部材１０４が設けられる側に向かって突出した突起状の引っ掛け部９８が形成されている。この引っ掛け部９８は、外装部材８４Ａに対して垂直に形成されている。なお、外装部材８４Ａに形成された切り欠き部９４には引っ掛け部９８は形成されず開放されている（図１０参照）。また、引っ掛け部９８は、外装部材８４Ａの最も先端の位置に比べ、内側に形成されており、この外装部材８４Ａの最も先端側９６の部分と引っ掛け部９８との間に、後述する延長部材１２０Ａの引っ掛かり部１３６が配置されるようになる。そのため、手差しユニット８０Ａを閉じたとき、延長部材１２０Ａがはみ出すことなく収容されるようになる。
【００５９】
また、実施形態２の延長部材１２０Ａには、図７〜図９に示すように、延長部材１２０Ａの先端部１３４に外装部材８４Ａ側に向かって突出された引っ掛かり部１３６が形成されている。この引っ掛かり部１３６は、延長部材１２０Ａに対して垂直な壁状に形成されている。なお、引っ掛かり部１３６は、外装部材８４Ａに形成された切り欠き部９４と対応する部分には形成されておらず開放されている（図１０参照）。また、実施形態２の延長部材１２０Ａには、実施形態１の延長部材１２０に形成された操作穴や操作突起のような操作部は形成されていない。
【００６０】
そして、外装部材８４Ａと基台部材１０４が組み合わされた場合、基台部材１０４に収容された延長部材１２０Ａは、先端部１３４の引っ掛かり部１３６が外装部材８４Ａの引っ掛け部９８に引っ掛かるようにして取り付けられる。
【００６１】
このように構成された実施形態２の手差しユニット８０Ａでは、手差しユニット８０Ａを開いた場合、図９に示すように、外装部材８４Ａに対して基台部材１０４は低い位置に配置されるが、延長部材１２０Ａは外装部材８４Ａの引っ掛け部９８に引っ掛かり部１３６が引っ掛かった状態で開かれるので、延長部材１２０Ａの先端部１３４は、外装部材８４Ａに対して低い位置には移動せず、外装部材８４Ａの先端側９６と同じ位置に配置されるようになる。
【００６２】
その後、延長部材１２０Ａを引き出す。このとき、図１０に示すように、外装部材８４Ａの切り欠き部９４と対応する部分の延長部材１２０Ａを掴むことで延長部材１２０Ａを引き出すことができる。なお、実施形態２の延長部材１２０Ａでは、外装部材８４Ａの切り欠き部９４から延長部材１２０Ａを摘むことができるので、実施形態１のような操作部の形成を省略することができる。
【００６３】
また、実施形態２の手差しユニット８０Ａでは、延長部材１２０Ａの引っ掛かり部１３６が外装部材８４Ａの引っ掛け部９８に引っ掛かることで、外装部材８４Ａの先端側９６が延長部材１２０Ａの引っ掛かり部１３６に覆われることで、外観をよくすることができる。
【００６４】
［実施形態３］
実施形態１の画像形成装置１０の手差しユニット８０は、外装部材８４が開かれると、延長部材１２０は外装部材８４の先端側９６に比べ低い位置に配置されるようになっていたが、実施形態３の画像形成装置１０Ｂの手差しユニット８０Ｂでは、延長部材１２０Ｂの奥側が外装部材８４Ｂに支持される構造とした場合を説明する。なお、実施形態３の手差しユニット８０Ｂは、実施形態１の手差しユニット８０に比べ、外装部材及び延長部材の一部の構成が異なるのみであるので、実施形態１と共通する構成には同一の符号を付し、詳細な説明は省略する。
【００６５】
実施形態３の画像形成装置１０Ｂに係る手差しユニット８０Ｂについて、図１１、図１２を主に参照し、実施形態１、２の説明で用いた図面も適宜参照して説明する。実施形態３の外装部材８４Ｂには、図１１、図１２に示すように、外装部材８４Ｂの奥側１００、すなわち第１軸部９０が形成された側であって（図３参照）、基台部材１０４側に向かって突出した壁状の支持部１０２が形成されている。
【００６６】
また、実施形態３の延長部材１２０Ｂには、延長部材１２０Ｂの先端部１３４とは反対側の奥側１３８に、外装部材８４Ｂ側に向かって突出した支持突起１４０が形成されている。
【００６７】
そして、外装部材８４Ｂの支持部１０２と延長部材１２０Ｂの支持突起１４０は、手差しユニット８０Ｂを開いた状態で延長部材１２０Ｂの先端部１３４が外装部材８４Ｂの先端側９６の位置がそれぞれ同じとなるような位置に形成されている（図１１参照）。
【００６８】
このような構成とすることで、実施形態３の手差しユニット８０Ｂでは、手差しユニット８０Ｂを開いた場合、外装部材８４Ｂに対して基台部材１０４は低い位置に配置されるが、延長部材１２０Ｂは外装部材８４Ｂの支持部１０２に支持突起１４０が支持された状態で開かれるので、延長部材１２０Ｂの先端部１３４は、外装部材８４Ｂの先端側９６と同じ位置に配置されるようになる。
【００６９】
その後、延長部材１２０Ｂを引き出す。このとき、外装部材８４Ｂの切り欠き部９４と対応する部分の延長部材１２０Ｂを掴むことで延長部材１２０Ｂを引き出すことができる（図１０参照）。なお、実施形態３の延長部材１２０Ｂでは、外装部材８４Ｂの切り欠き部から延長部材１２０Ｂを摘むことができるので、実施形態２と同様に実施形態１のような操作部の形成を省略することができる。
【００７０】
［実施形態４］
実施形態４の画像形成装置１０Ｃに係る手差しユニット８０Ｃについて、図１３を主に参照し、実施形態１〜３の説明で用いた図面も適宜参照して説明する。実施形態４の画像形成装置１０Ｃの手差しユニット８０Ｃは、図１２に示すように、実施形態２の手差しユニット８０Ａに設けられた外装部材８４Ａの引っ掛かり部１３６と延長部材１２０Ａの引っ掛け部９８（図８、図９参照）、及び実施形態３の手差しユニット８０Ｂに設けられた外装部材８４Ｂの支持部１０２と延長部材１２０Ｂの支持突起１４０と（図１１、図１２参照）がそれぞれ形成されている。なお、及び外装部材及び延長部材の一部の構成は実施形態２及び実施形態３の構成と共通し、また、他の画像形成装置の構成は実施形態１の構成と共通するので、同じ構成には同一の符号を付し、詳細な説明は省略する。
【００７１】
すなわち、実施形態４の外装部材８４Ｃは、図１２に示すように、先端側９６であって基台部材１０４が設けられる側に向かって突出した突起状の引っ掛け部９８が形成されている。この引っ掛け部９８は、外装部材８４Ｃに対して垂直に形成されている。また、外装部材８４Ｃの奥側１００、すなわち第１軸部９０が形成された側であって（図３参照）、延長部材１２０Ｃに対して垂直に突出した壁状の支持部１０２が形成されている。
【００７２】
さらに、実施形態４の延長部材１２０Ｃには、図１２に示すように、延長部材１２０Ｃの先端部１３４に外装部材８４Ｃ側に向かって突出された引っ掛かり部１３６が形成されている。また、延長部材１２０Ｃの先端部１３４とは反対側の奥側１３８に、外装部材８４Ｃ側に向かって突出した支持突起１４０が形成されている。
【００７３】
このような構成とすることで、実施形態４の手差しユニット８０Ｃは、手差しユニット８０Ｃを開いた場合、外装部材８４Ｃに対して基台部材１０４は低い位置に配置されるが、延長部材１２０Ｃは外装部材８４Ｃの先端部１３４側では、に引っ掛かり部１３６に引っ掛け部９８が引っ掛かると共に、奥側１３８では、支持部１０２に支持突起１４０が支持された状態で開かれるので、延長部材１２０Ｃの先端部１３４は、外装部材８４Ｂの先端側９６と同じ位置に配置されるようになる。
【００７４】
さらに、実施形態４の手差しユニット８０Ｃでは、延長部材１２０Ｃの引っ掛かり部１３６が外装部材８４Ｃの引っ掛け部９８に引っ掛かることで、外装部材８４Ｃの先端側９６が延長部材１２０Ｃの引っ掛かり部１３６に覆われることで、外観をよくすることができる。
【００７５】
その後、延長部材１２０Ｃを引き出す。このとき、外装部材８４Ｃの切り欠き部９４と対応する部分の延長部材１２０Ｃを掴むことで延長部材１２０Ｃを引き出すことができる（図１０参照）。なお、実施形態４の延長部材１２０Ｃでは、外装部材８４Ｃの切り欠き部から延長部材１２０Ｃを摘むことができるので、実施形態２、３と同様に実施形態１のような操作部の形成を省略することができる。
【符号の説明】
【００７６】
１０、１０Ａ、１０Ｂ、１０Ｃ    画像形成装置
１２    画像形成装置本体
１６    排出部
１８    記録媒体供給装置
２０    画像形成ユニット
２２    光書込み装置
３６    定着装置
５２    搬送ロール
５４    リタードロール
５６    搬送路
５８    レジストロール
６０    排出ロール
８０、８０Ａ、８０Ｂ、８０Ｃ    手差しユニット（開閉装置）
８２    手差しピックロール
８４、８４Ａ、８４Ｂ、８４Ｃ    外装部材
８６    収容空間
９０    第１軸部
９２    移動溝
９４    切り欠き部
９８    引っ掛け部
１０２    支持部
１０４    基台部材
１０８    第２軸部
１１０    記録媒体配置部
１１４    移動突起
１１６    案内溝
１１８    延長部材配置部
１２０、１２０Ａ、１２０Ｂ、１２０Ｃ    延長部材
１２４    案内部
１２６    案内突起
１３０    操作穴（操作部）
１３２    操作突起（操作部）
１３６    引っ掛かり部
１４０    支持突起
【図１】
0006604088.tif 000002
【図２】
0006604088.tif 000003
【図３】
0006604088.tif 000004
【図４】
0006604088.tif 000005
【図５】
0006604088.tif 000006
【図６】
0006604088.tif 000007
【図７】
0006604088.tif 000008
【図８】
0006604088.tif 000009
【図９】
0006604088.tif 000010
【図１０】
0006604088.tif 000011
【図１１】
0006604088.tif 000012
【図１２】
0006604088.tif 000013
【図１３】
0006604088.tif 000014